(57)【特許請求の範囲】
【請求項１】
断面U字状で長手方向に延伸された梁もしくは壁用に使用する部材１と部材１を互いに契合するために使用する平板状の盤体部の両面に契合部を設けた契合部材２を用いて組み立てる構築物であって、部材１の側辺縁両端側には契合部A１、A2が設けられ、部材１の天板部長手方向両側に契合部B１、B2が設けられ、契合部材２の上面には契合部A１、A2と対応する契合部M１、M2が設けられ、契合部材２の下面には契合部B1、B2と対応する契合部N１、N2が設けられ、契合部Mと契合部Nは契合部Aと契合部B
とそれぞれ契合するとき部材１が契合部材２の上面・下面で直行するように配置され、契合部材２には突出する端辺が設けられ、且つその端辺は契合部材２の上下で直交する方向に設けられる部材１の側面を支えるように設けられた、部材１と契合部材２で組み立てられた梁と壁からなる構築物。
【発明の詳細な説明】
【技術分野】
【０００１】
本発明は、新規部材とそれを用いた空間構築物に属する。
【背景技術】
【０００２】
雨水等の流出抑制を目的として、プラスチックなどで製造された単位部材を地下に配列充填しその周囲を適宜シートで覆った雨水貯留浸透施設が普及している。この目的のため各種の異なる形状の単位部材が例えば特開昭62-101097、特開昭62-126179、特開平9-296486、特開平10-252108、特開平10-115778、特開平11-43971、特開平11-222886などに提案且つ使用されている。いずれの方法も単位部材を地下に配列し、その周囲を透水性若しくは遮水性のシートで包み、その内部空間に雨水等を貯留する浸透・貯留施設あるいは軽量部材とするものであった。
それらの単位部材に変わる新しい単位部材の提案にある。
【先行技術文献】
【特許文献】
【０００３】
【特許文献１】特開昭62-101097
【特許文献２】特開昭62-126179
【特許文献３】特開平9-296486
【特許文献４】特開平10-252108
【特許文献５】特開平10-115778
【特許文献６】特開平11-43971
【特許文献７】特開平11-222886
【発明の概要】
【発明が解決しようとする課題】
【０００４】
本発明は、雨水の流出抑制施設あるいは軽量盛土などに使用される新規の単位部材の提案にある。
【課題を解決するための手段】
【０００５】
本発明は、断面U字状で長手方向に延伸された梁もしくは壁用に使用する部材１と部材１を互いに契合するために使用する平板状の盤体部の両面に契合部を設けた契合部材２を用いて組み立てる構築物であって、部材１の側辺縁両端側には契合部A１、A2が設けられ、部材１の天板部長手方向両側に契合部B１、B2が設けられ、契合部材２の上面には契合部A１、A2と対応する契合部M１、M2が設けられ、契合部材２の下面には契合部B1、B2と対応する契合部N１、N2が設けられ、契合部Mと契合部Nは契合部Aと契合部B
とそれぞれ契合するとき部材１が契合部材２の上面・下面で直行するように配置され、契合部材２には突出する端辺が設けられ、且つその端辺は契合部材２の上下で直交する方向に設けられる部材１の側面を支えるように設けられた、部材１と契合部材２で組み立てられた梁と壁からなる構築物である。
【発明の効果】
【０００６】
本発明は、（１）梁と壁両方に使用する部材の形状を断面U字状としたため自立するため組み立てが容易となると同時に両側面端縁に契合部Aがあるため契合が確実となる。（２）契合部材２の縁部には上方もしくは下方に向かう端辺が設けられているため部材１が端辺の間に挿入されることで組み立て時の安定性が増す。
【図面の簡単な説明】
【０００７】
【図１】は、部材１の例を示す概念図である。
【図２】は、契合部材２の例を示す概念図である。
【図３】は、部材１を契合部材２を使用した組み立て方法を示す概念図である。
【図４】は、部材１と契合部材２からなる構築物の概念図である。
【図５】は、構築物を雨水等の流出抑制施設として使用する概念図である。
【図６】は、構築物を擁壁として使用する概念図である。
【発明を実施するための形態】
【０００８】
以下本発明を、図を用いて、より詳細に説明する。
図１は、部材１の斜視図、平面図、側面図及び背面図を示す。
図１ａは、梁及び壁として使用され、図１ｂは構築物の表面の隙間を埋める壁として使用される。
図１ａに示すように部材１は、断面Ｕ字状で長手方向に延伸した形状を有している。両側面の縁端部には切り欠きが設けられている。本切り欠きは長手方向に２箇所契合部Ａ１及び契合部Ａ２として設けられている。天井部には長手方向の端部近くに２箇所孔部が契合部Ｂ１及び契合部Ｂ２として設けられている。また図１ｂに示す部材１はその幅と契合部Ｂ１、Ｂ２の位置が異なるだけでその形状は同じである。後述する契合部材２の契合部Ｎ１及びＮ２と対応する位置に設けられているにすぎない。
【０００９】
図２は、契合部材２の斜視図、平面図、側面図及び背面図を示す。図２ａは中間部で使用する契合部材２Ａであり、図２ｂは、縁部、隅部で使用する契合部材２Ｂである。
図２ａに示すように、契合部材２Ａは、平坦な盤体部の両面にそれぞれ上記部材１と契合するための契合部が設けられている。上面には中心線から同一の距離を置いて２本の線状の突部が契合部Ｍ１，Ｍ２として設けられている。契合部Ｍ１、Ｍ２の形状、位置は部材１の契合部Ａ１、Ａ２と契合する形状、位置と対応している。契合部Ｍと契合部Ａは互いにオスメスの関係にある。図では下面には上面に仮定した中心線と直交する中心線に沿って他の中心線から等距離に突部が２箇所、契合部Ｎ１、Ｎ２として設けられている。契合部Ｎ１、Ｎ２の形状は部材１の契合部Ｂ１、Ｂ２と契合する形状となっている。契合部Ｎと契合部Ｂは互いにオスメスの関係にある。
【００１０】
更に、契合部材２Ａの盤体部には、上面においては、契合部Ｍを挟むように端辺が２箇所辺縁に上方に突出するように設けられており、部材１と契合するとき部材１の両側を挟んで支持するように設けられる。下面においては、契合部Ｎを結ぶ線と平行に端辺が２箇所辺縁に下方に突出するように設けられており、部材１と契合するとき部材１の両側を挟んで支持するように設けられる。部材１と契合部材２Ａを契合するとき、図３に示すように、契合部材２Ａの上下で部材１は互いに直交するように契合される。
【００１１】
図４ａは、部材１と契合部材２Ａを契合し、構築物とした概念図である。この場合構築物の端部は、図に示すように縦方向の２段目端部及び横方向の１段目端部は開放されている。図２ａに示す契合部材２Ａのみでは構築物の縦横一方向を見れば一段置きに開放部分が現れる。この隙間が無視できない場合、図２ｂに示す契合部材２Ｂを構築物の端部に使用し図１ｂに示す細い部材１を用いて壁を構成する。図４ｂは、構築物の端部に契合部材２Ｂを用いた構築物の概念図である。
【００１２】
図２ｂに示す、契合部材２Ｂは、構築部の辺及び隅で使用するものであり、その盤体の下面に設けた契合部Ｎ１、Ｎ２は変わらないが、その上面に設けた契合部Ｍ１、Ｍ２は契合する部材１Ａと部材１Ｂが直交するように契合されるため部材１Ａの契合部Ｍが一本、更に契合部Ｍに直交するように契合部Ｍが２本設けられている。その位置関係は部材１Ａ、部材１Ｂがオスメス関係で契合する位置に設ける。さらに上面の辺部は部材１Ａ、部材１Ｂが配置可能となるよう、かつ部材が１横に支えられるように設けられている。
【００１３】
図４ｂに示した構築物は天井部が開放されているため、本構築物を地下に埋設しその周囲を適切なシートで覆い、雨水等の流出抑制施設用の水槽として用いるためには天井部を平らな板で覆う必要がある。また、擁壁等として使用するためには図６に示すように、本構築物の空き空間に砕石などを充填し使用することができる。
【００１４】
図５は本構築物を雨水等の流出抑制施設用水槽として使用する例を示した。その周囲を透水性のシートで覆い土砂が内部に入らないようにし、泥だめ桝、流入管、溢流管を設けたものである。地下水が入らないようにして使用する場合にはシートの種類を遮水シートに変え、必要に応じてオリフィス桝などを付帯させ使用することは従来の方法と同じである。
【産業上の利用可能性】
【００１５】
雨水の流出抑制施設である貯留槽、浸透槽としてあるいは雨水の有効利用を図る貯留槽として利用可能である。また地下水の大量に湧出するような場所に擁壁として利用することもできる。
【符号の説明】
【００１６】
１  部材１
２  契合部材２
３  契合部Ａ
４  契合部Ｂ
５  契合部Ｎ
６  契合部Ｍ
７  辺部
【図１】
0005747297.tif 000002
【図３】
0005747297.tif 000003
【図２】
0005747297.tif 000004
【図４】
0005747297.tif 000005
【図５】
0005747297.tif 000006
【図６】
0005747297.tif 000007